(57)【特許請求の範囲】
【請求項１】
第１の無線アクセス機器を無線端末モードに配置し、
第２の無線アクセス機器を無線アクセスポイントモードに配置し、
前記第１の無線アクセス機器が無線アクセスポイントを走査することで、前記第２の無線アクセス機器を発見し、
前記第２の無線アクセス機器が無線端末を走査することで、前記第１の無線アクセス機器を発見し、
前記第１の無線アクセス機器と前記第２の無線アクセス機器がそれぞれ相手を発見した後、双方が協議して無線接続を構築し、
接続を完成した後、前記第１の無線アクセス機器と前記第２の無線アクセス機器とを無線アクセスポイントモードに配置するステップを含む簡単・手軽な無線接続を構築する方法。
【請求項２】
前記第１の無線アクセス機器が無線アクセスポイントを走査することで前記第２の無線アクセス機器を発見する前に、
無線端末モードに配置した前記第１の無線アクセス機器のＷＰＳ方式のセットアップ機能を活性化するステップを更に含む請求項１に記載の方法。
【請求項３】
前記第１の無線アクセス機器が、活性化された後の所定の時間内に、全ての利用可能な無線チャネル上の無線アクセスポイント機能付きの無線アクセス機器を走査する請求項２に記載の方法。
【請求項４】
前記第１の無線アクセス機器が、活性化後の所定の時間内に複数の無線アクセスポイント機能付きの無線アクセス機器を走査して発見すると、複数の簡単・手軽な無線接続を同時に構築することができないことを指示するための情報を生成して、ユーザに通知し、
前記第１の無線アクセス機器が、活性化後の所定の時間内に無線アクセスポイント機能付きの無線アクセス機器を発見していないと、インタラクション用の無線アクセスポイントがないことを指示するための情報を生成してユーザに通知するステップを更に含む請求項３に記載の方法。
【請求項５】
前記第２の無線アクセス機器が無線端末を走査することで前記第１の無線アクセス機器を発見する前に、
前記第２の無線アクセス機器を活性化して、無線アクセスポイントのＷｉＦｉが保護される設置ＷＰＳ機能とするステップを更に含む請求項１に記載の方法。
【請求項６】
前記第２の無線アクセス機器が、活性化後の所定の時間内に、全ての利用可能な無線チャネル上の無線端末機能付きの無線アクセス機器を走査する請求項５に記載の方法。
【請求項７】
前記第２の無線アクセス機器が、活性化後の所定の時間内に複数の無線端末機能付きの無線アクセス機器を走査して発見すると、複数の簡単・手軽な無線接続を同時に構築することができないことを指示するための情報を生成してユーザに通知し、
前記第２の無線アクセス機器が、活性化後の所定の時間内に無線端末機能付きの無線アクセス機器を発見していないと、インタラクション用の無線端末がないことを指示するための情報を生成してユーザに通知するステップを更に含む請求項６に記載の方法。
【請求項８】
前記第２の無線アクセス機器を無線端末モードに再配置し、また、無線端末モードに再配置された第２の無線アクセス機器に他の無線アクセスポイント機能付きの無線アクセス機器を接続させる請求項１乃至７の中のいずれかに記載の方法。
【請求項９】
第１の無線アクセス機器を無線端末モードに配置し、第２の無線アクセス機器を無線アクセスポイントモードに配置する配置ユニットと、
無線アクセスポイントを走査することで前記第２の無線アクセス機器を発見し、無線端末を走査することで第１の無線アクセス機器を発見する走査ユニットと、
前記第１の無線アクセス機器と前記第２の無線アクセス機器をそれぞれ発見した後、前記第１の無線アクセス機器と前記第２の無線アクセス機器が協議して無線接続を構築する接続ユニットと、
を備え、
接続を完成した後、前記第１の無線アクセス機器と前記第２の無線アクセス機器とを無線アクセスポイントモードに配置する簡単・手軽な無線接続を構築する装置。
【請求項１０】
無線アクセスポイントを走査することで前記第２の無線アクセス機器を発見する前、前記第１の無線アクセス機器を活性化し、無線端末を走査することで前記第１の無線アクセス機器を発見する前、前記第２の無線アクセス機器を活性化する活性化ユニットを更に備える請求項９に記載の装置。
【発明の詳細な説明】
【技術分野】
【０００１】
本発明は、無線通信ネットワーク、特に無線ローカルエリアネットワーク（Ｗｉｒｅｌｅｓｓ  Ｌｏｃａｌ  Ａｒｅａ  Ｎｅｔｗｏｒｋ、ＷＬＡＮと略称）の簡単・手軽な構築及び応用に関し、具体的に、高速且つ簡単・手軽に安全なＷＬＡＮローカルエリアネットワークを構築する無線接続の方法及び関連する装置に関する。
【背景技術】
【０００２】
ＷＬＡＮ機能を支援する機器の普及及び無線技術の成熟に伴って、ますます多くのユーザがＷＬＡＮに接触して使用していて、オフィスでのＷＬＡＮの使用も既に流行されていて、ＷＬＡＮ機能を具備する機器が家庭等の場所でも汎用されている。
【０００３】
伝統的な方式において、ユーザが新規の無線ネットワークを構築する際、無線アクセスポイント（Ａｃｃｅｓｓ  Ｐｏｉｎｔ、ＡＰと略称）においてネットワーク識別名（Ｓｅｒｖｉｃｅ  Ｓｅｔ  Ｉｄｅｎｔｉｆｉｅｒ、ＳＳＩＤと略称）とセキュリティキーを手動で設定し、その後、ステーション（Ｓｔａｔｉｏｎ、ＳＴＡと略称）でアクセスする際、ＡＰ側はキーを検証することによって安全検証の要求を満たす。全ての過程の中で、ユーザがＷｉＦｉ機器の基本知識及び必要の配置を修正することのできる能力を具備しなければならず、当該過程において、普通のユーザはＳＳＩＤ、ＡＰ、ＳＴＡが何であるかを了解しなければならず、各種の暗号化方式及び配置方法も了解すべきであるが、ユーザが理解及び使用しにくいので、通常のユーザはＷＬＡＮネットワークの構築が非常に複雑であると感じることになる。ＷＬＡＮを簡単に構築してＷＬＡＮに新規のネットワーク応用機器を安全に追加するため、ＷｉＦｉ連盟は、ＷｉＦｉが保護される設置（ＷｉＦｉ  Ｐｒｏｔｅｃｔｅｄ  Ｓｅｔｕｐ、ＷＰＳと略称）標準を開発した。当該標準に、登録機等の論理要素によってＡＰの装着及びネットワーク応用機器の追加を管理すると定義された。
今の市場上のＡＰ機器はいずれもＷＰＳ  ＳＴＡの簡単・手軽なアクセスを支援し、これにより、同一のＡＰ機器中のユーザのアクセス数が大きく制限され、一定の数量のＳＴＡが同一の無線ローカルエリアネットワークを構築しようとする際、簡単・手軽なアクセスの要求を満たすことができない。
【発明の概要】
【発明が解決しようとする課題】
【０００４】
本発明の実施例は、高速且つ簡単・手軽にＷＬＡＮローカルエリアネットワークの無線接続を構築する問題を解決できる簡単・手軽な無線接続を構築する方法及び装置を提供することをその目的とする。
【課題を解決するための手段】
【０００５】
本発明の実施例の一態様によると、
第１の無線アクセス機器を配置することで無線端末機能を具備させ、
第２の無線アクセス機器を配置することで無線アクセスポイント機能を具備させ、
第１の無線アクセス機器が無線アクセスポイントを走査することで、第２の無線アクセス機器を発見し、
第２の無線アクセス機器が無線端末を走査することで、第１の無線アクセス機器を発見し、
前記第１の無線アクセス機器と第２の無線アクセス機器がそれぞれ相手を発見した後、双方が協議して無線接続を構築するステップを含む簡単・手軽な無線接続を構築する方法を提供する。
【０００６】
前記第１の無線アクセス機器が無線アクセスポイントを走査することで第２の無線アクセス機器を発見する前に、第１の無線アクセス機器を活性化するステップを更に含むことが好ましい。
【０００７】
第１の無線アクセス機器が、活性化された後の所定の時間内に、全ての利用可能な無線チャネル上の無線アクセスポイント機能付きの無線アクセス機器を走査することが好ましい。
【０００８】
第１の無線アクセス機器が、活性化後の所定の時間内に複数の無線アクセスポイント機能付きの無線アクセス機器を走査して発見すると、複数の簡単・手軽な無線接続を同時に構築することができないことを指示するための情報を生成して、ユーザに通知し、
第１の無線アクセス機器が、活性化後の所定の時間内に無線アクセスポイント機能付きの無線アクセス機器を発見していないと、インタラクション用の無線アクセスポイントがないことを指示するための情報を生成してユーザに通知するステップを更に含むことが好ましい。
【０００９】
前記第２の無線アクセス機器が無線端末を走査することで第１の無線アクセス機器を発見する前に、第２の無線アクセス機器を活性化するステップを更に含むことが好ましい。
【００１０】
第２の無線アクセス機器が活性化後の所定の時間内に、全ての利用可能な無線チャネル上の無線端末機能付きの無線アクセス機器を走査することが好ましい。
【００１１】
第２の無線アクセス機器が、活性化後の所定の時間内に複数の無線端末機能付きの無線アクセス機器を走査して発見すると、複数の簡単・手軽な無線接続を同時に構築することができないことを指示するための情報を生成してユーザに通知し、
第２の無線アクセス機器が、活性化後の所定の時間内に無線端末機能付きの無線アクセス機器を発見していないと、インタラクション用の無線端末がないことを指示するための情報を生成してユーザに通知するステップを更に含むことが好ましい。
【００１２】
第２の無線アクセス機器の再配置を行うことで、無線端末機能を具備させ、且つ、他の無線アクセスポイント機能付きの無線アクセス機器に接続させることが好ましい。
【００１３】
本発明の実施例の他の一態様によると、
第１の無線アクセス機器を配置することで無線端末機能を具備させ、第２の無線アクセス機器を配置することで無線アクセスポイント機能を具備させる配置ユニットと、
無線アクセスポイントを走査することで第２の無線アクセス機器を発見し、無線端末を走査することで第１の無線アクセス機器を発見する走査ユニットと、
前記第１の無線アクセス機器と第２の無線アクセス機器をそれぞれ発見した後、前記第１の無線アクセス機器と第２の無線アクセス機器が協議して無線接続を構築する接続ユニットと、
を備える簡単・手軽な無線接続を構築する装置を提供する。
【００１４】
無線アクセスポイントを走査することで第２の無線アクセス機器を発見する前、第１の無線アクセス機器を活性化し、無線端末を走査することで第１の無線アクセス機器を発見する前、第２の無線アクセス機器を活性化する活性化ユニットを更に備えることが好ましい。
【発明の効果】
【００１５】
既存技術に比べ、本発明の実施例によると以下のような有益な効果を実現できる。
本発明の実施例によると、ユーザが便利で、高速、効率的にＷＬＡＮ安全システムの構築を完成することができ、同時に、無線信号のカバー範囲を拡大でき、無線接続の品質を保証し、ネットワークの配置の最適化を実現し、ユーザの体験を向上させる。
【図面の簡単な説明】
【００１６】
【図１】本発明の実施例で提供する簡単・手軽な無線接続を構築する方法の原理を示す図である。
【図２】本発明の実施例で提供する簡単・手軽な無線接続を構築する装置の動作を示すフローチャートである。
【図３】本発明の実施例で提供する無線アクセス機器の構造を示す図である。
【図４】本発明の実施例で提供する安全且つ簡単・手軽な無線接続を示す図である。
【発明を実施するための形態】
【００１７】
以下、図面を結合して本発明の好適な実施例を詳しく説明し、ここで、以下で説明する好適な実施例は本発明を説明及び解釈するためのもので、本発明を限定するものではない。
図１は、本発明の実施例で提供する簡単・手軽な無線接続を構築する方法の原理を示す図で、図１に示すように、以下のステップを含む。
第１の無線アクセス機器を配置することで、第１の無線アクセス機器に無線端末機能を具備させ、第２の無線アクセス機器を配置することで、第２の無線アクセス機器に無線アクセスポイント機能を具備させる（ステップ１０１）。
【００１８】
第１の無線アクセス機器が無線アクセスポイントを走査することで、第２の無線アクセス機器を発見し、第２の無線アクセス機器が無線端末を走査することで、第１の無線アクセス機器を発見する（ステップ１０２）。
【００１９】
第１の無線アクセス機器が無線アクセスポイントを走査することで第２の無線アクセス機器を発見する前、第１の無線アクセス機器を活性化し、その後、第１の無線アクセス機器が活性化後の所定の時間内に、全ての利用可能な無線チャネル上の無線アクセスポイント機能付きの無線アクセス機器を走査する。第１の無線アクセス機器が活性化後の所定の時間内に無線アクセスポイント機能付きの無線アクセス機器を発見していないと、インタラクション用の無線アクセスポイントがないことを指示するための情報を生成してユーザに通知し、第１の無線アクセス機器が活性化後の所定の時間内に、本実施例における第２の無線アクセス機器のような、無線アクセスポイント機能付きの一つの無線アクセス機器を発見すると、前記無線アクセス機器と協議して簡単・手軽な無線接続を構築し、第１の無線アクセス機器が活性化後の所定の時間内に複数の無線アクセスポイント機能付きの無線アクセス機器を走査して発見すると、複数の簡単・手軽な無線接続を同時に構築することができないことを指示するための情報を生成してユーザに通知する。
【００２０】
第２の無線アクセス機器が無線端末を走査することで、第１の無線アクセス機器を発見する前、第２の無線アクセス機器を活性化し、その後、第２の無線アクセス機器が活性化後の所定の時間内に、全ての利用可能な無線チャネル上の無線端末機能付きの無線アクセス機器を走査する。第２の無線アクセス機器が活性化後の所定の時間内に無線端末機能付きの無線アクセス機器を発見していないと、インタラクション用の無線端末がないことを指示するための情報を生成してユーザに通知し、第２の無線アクセス機器が活性化後の所定の時間内に、本実施例における第１の無線アクセス機器のような、無線端末機能付きの一つの無線アクセス機器を発見すると、前記無線アクセス機器と協議して簡単・手軽な無線接続を構築し、第２の無線アクセス機器が活性化後の所定の時間内に複数の無線端末機能付きの無線アクセス機器を走査して発見すると、複数の簡単・手軽な無線接続を同時に構築することができないことを指示するための情報を生成してユーザに通知する。
【００２１】
前記第１の無線アクセス機器と第２の無線アクセス機器がそれぞれ相手を発見した後、双方が協議して無線接続を構築し、また、接続を完成した後、前記第１の無線アクセス機器と第２の無線アクセス機器をそれぞれ無線アクセスポイントとして、大量のユーザのために簡単・手軽にアクセスできる無線ローカルエリアネットワークを構築する（ステップ１０３）。
【００２２】
第２の無線アクセス機器を再配置することで、第２の無線アクセス機器に無線端末機能を具備させ、また、他の無線アクセスポイント機能付きの無線アクセス機器に接続させる。
【００２３】
本発明の実施例によると更に、簡単・手軽な無線接続を構築する装置を提供し、当該装置は、
第１の無線アクセス機器を配置することで、第１の無線アクセス機器に無線端末機能を具備させ、第２の無線アクセス機器を配置することで、第２の無線アクセス機器に無線アクセスポイント機能を具備させる配置ユニットと、
無線アクセスポイントを走査することで第２の無線アクセス機器を発見する前、第１の無線アクセス機器を活性化し、無線端末を走査することで第１の無線アクセス機器を発見する前に、第２の無線アクセス機器を活性化する活性化ユニットと、
無線アクセスポイントを走査することで第２の無線アクセス機器を発見し、無線端末を走査することで第１の無線アクセス機器を発見する走査ユニットと、
前記第１の無線アクセス機器と第２の無線アクセス機器をそれぞれ発見した後、前記第１の無線アクセス機器と第２の無線アクセス機器が協議して無線接続を構築する接続ユニットと、を備える。
【００２４】
図２は、本発明の実施例で提供する簡単・手軽な無線接続を構築する装置の動作を示すフローチャートで、図２に示すように、以下のステップを含む。
無線アクセス機器ＷＬＡＮＡＰ１の配置ユニットによって、ＷＬＡＮＡＰ１をＳＴＡモードに配置し、この時、ＷＬＡＮＡＰ１は無線端末機能（即ち、ＳＴＡ機能）を具備すると共に、無線アクセスポイント機能（即ち、ＡＰ機能）も具備し、また、無線アクセス機器ＷＬＡＮＡＰ２の配置ユニットによって、ＷＬＡＮＡＰ２をＡＰモードに配置し、ＷＬＡＮＡＰ２はＡＰ機能を具備する（ステップ２０１）。
【００２５】
ＷＬＡＮＡＰ１の活性化ユニット上のＷＰＳボタンを短時間押して（例えば、３ｓ以内）、ＳＴＡ機器とするＷＬＡＮＡＰ１のＷＰＳ機能を活性化させて、ＷＬＡＮＡＰ２の活性化ユニット上のＷＰＳボタンを長時間押して、ＡＰとするＷＬＡＮＡＰ２のＷＰＳ機能を活性化させる（ステップ２０２）。
【００２６】
ＷＬＡＮＡＰ１は活性化された後、その走査ユニットが所定の時間内（例えば２min内）の全ての利用可能な無線チャネルにおいて、ＷＰＳ  ＰＢＣ機能を支援するＡＰ機能付きの無線アクセス機器をサーチし、ＡＰ機能付きの無線アクセス機器がサーチされた場合、その数量を判定する（ステップ２０３）。数量が１であると、即ち、ＷＬＡＮＡＰ２がサーチされた場合、接続ユニットがＷＬＡＮＡＰ２にＷＰＳ協議要求を送信し、双方が協議に成功すると、ＷＬＡＮＡＰ１とＷＬＡＮＡＰ２の間の簡単・手軽な無線接続を構築して、「ＷＰＳ接続成功」の情報を表示し、数量が１未満であると、即ち、０であると、「ＷＰＳインタラクション機器なし」の情報を表示し、数量が１を超えると、「複数のＷＰＳ接続を同時に構築することができない」の情報を表示する。ＷＬＡＮＡＰ２が活性化された後、その走査ユニットは所定の時間内（例えば２min内）の全ての利用可能な無線チャネルにおいて、ＷＰＳ  ＰＢＣ機能を支援するＳＴＡ機能付きの無線アクセス機器をサーチし、ＳＴＡ機能付きの無線アクセス機器がサーチされた場合、その数量を判定する。数量が１であると、即ち、ＷＬＡＮＡＰ１がサーチされた場合、接続ユニットがＷＬＡＮＡＰ１にＷＰＳ協議要求を送信し、双方が協議に成功すると、ＷＬＡＮＡＰ１とＷＬＡＮＡＰ２の間の簡単・手軽な無線接続を構築して、また、「ＷＰＳ接続成功」の情報を表示し、数量が１未満であると、即ち、０であると、「ＷＰＳインタラクション機器なし」の情報を表示し、数量が１を超えると、「複数のＷＰＳ接続を同時に構築することができない」の情報を表示する。
【００２７】
図３は、本発明の実施例で提供する無線アクセス機器の構造を示す図で、図３に示すように、モード設置ボタンと、トリガーモジュールと、ＷＰＳモジュールと、駆動モジュールと、表示モジュールと、を備え、
前記モード設置ボタンは配置ユニットの機能を実現し、本発明の実施例の前記無線アクセス機器はＡＰとＳＴＡの２種のモードを有し、前記モード設置ボタンによってＡＰモードに配置された場合、ＡＰ機能のみを具備し、前記モード設置ボタンによってＳＴＡモードに配置された場合、ＡＰ機能とＳＴＡ機能を同時に具備し、
前記トリガーモジュールとＷＰＳモジュールは活性化ユニットの機能を実現する。ここで、前記トリガーモジュールはＷＰＳ機能をトリガーするボタンを有し、無線アクセス機器がＳＴＡモードである場合、トリガーモジュールはＷＰＳ起動ボタンを有し、ＷＰＳ起動ボタンを長時間押す（例えば３ｓ以上）時、ＡＰとする無線アクセス機器のＷＰＳが活性化され、ＷＰＳボタンを短時間押す（３ｓ以内）時、ＳＴＡとする無線接続機器のＷＰＳが活性化される。前記ＷＰＳモジュールは、無線アクセス機器のモードの設置（ＡＰモード又はＳＴＡモード）とトリガーモジュールの操作（長時間押す又は短時間押す）に応じて、対応するＷＰＳ機能を作動させる。
【００２８】
前記駆動モジュールは走査ユニットと接続ユニットの機能を実現し、ＷＰＳ接続を行うサーチ能力を有すると共に、ＷＰＳ無線接続の駆動プログラム等も有し、サーチしたＷＰＳ  ＰＢＣアクセスを支援するＷＬＡＮクライアントの数量情報を表示モジュールに送信する。
【００２９】
前記表示モジュールは、駆動モジュールから送信されたＷＰＳ  ＰＢＣを支援する数量情報に基づいて異なる操作を行い、ＷＰＳ  ＰＢＣを支援するクライアントの数量が１であると、「ＷＰＳ接続成功」を表示し、ＷＰＳ  ＰＢＣを支援するクライアントの数量が１未満であると、即ち、０であると、「ＷＰＳインタラクション機器なし」を表示し、ＷＰＳ  ＰＢＣを支援するクライアントの数量が１を超えると、「複数のＷＰＳ接続を同時に行うことができない」を表示する。
【００３０】
図４は、本発明の実施例で提供する安全且つ簡単・手軽な無線接続を示す図で、図４に示すように、先ず、ＷＬＡＮＡＰ１をＳＴＡモードに配置し、ＷＬＡＮＡＰ１のトリガーモジュールによってＷＬＡＮＡＰ１のＷＰＳモジュールをトリガーし、また、ＷＬＡＮＡＰ２をＡＰモードに配置し、ＷＬＡＮＡＰ２のトリガーモジュールによって無線接続端末ＷＬＡＮＡＰ２機器のＷＰＳモジュールをトリガーする。その後、ＷＬＡＮＡＰ１が活性化された後、その駆動モジュールが所定の時間内（例えばＷＬＡＮＡＰ１活性化後の２ｍｉｎ内）の全ての利用可能な無線チャネルにおいて、ＷＰＳＰＢＣ機能を支援するＡＰ機能付きの無線アクセス機器（即ち、ＷＬＡＮＡＰ）をサーチし、ＷＬＡＮＡＰがサーチされた場合、その数量を判定し、ＷＬＡＮＡＰの数量が１であると、即ちＷＬＡＮＡＰ２がサーチされた場合、ＷＬＡＮＡＰ１の駆動モジュールがＷＬＡＮＡＰ２の駆動モジュールにＷＰＳ協議要求を送信し、双方が協議に成功すると、ＷＬＡＮＡＰ１とＷＬＡＮＡＰ２の間の簡単・手軽な無線接続を構築し、且つ、双方の表示モジュールが「ＷＰＳ接続成功」を表示し、ＷＬＡＮＡＰの数量が１未満であると、即ち０であると、ＷＬＡＮＡＰ１の駆動モジュールは表示モジュールに「ＷＰＳインタラクション機器なし」を表示することを通知し、ＷＬＡＮＡＰの数量が１を超えると、ＷＬＡＮＡＰ１の駆動モジュールは表示モジュールに「複数のＷＰＳ接続を同時に行うことができない」を表示することを通知する。ＷＬＡＮＡＰ２が活性化された後、その駆動モジュールは所定の時間内（例えばＷＬＡＮＡＰ１が活性化された後の２min内）の全ての利用可能な無線チャネルにおいて、ＷＰＳＰＢＣ機能を支援するＳＴＡ機能付きのＷＬＡＮＡＰをサーチし、ＷＬＡＮＡＰがサーチされた場合、その数量を判定し、ＷＬＡＮＡＰの数量が１であると、即ち、ＷＬＡＮＡＰ１がサーチされた場合、ＷＬＡＮＡＰ２の駆動モジュールはＷＬＡＮＡＰ１の駆動モジュールにＷＰＳ協議要求を送信し、双方が協議に成功すると、ＷＬＡＮＡＰ１とＷＬＡＮＡＰ２の間の簡単・手軽な無線接続を構築し、双方の表示モジュールが「ＷＰＳ接続成功」を表示し、ＷＬＡＮＡＰの数量が１未満であると、即ち０であると、ＷＬＡＮＡＰ１の駆動モジュールは表示モジュールに「ＷＰＳインタラクション機器なし」を表示することを通知し、ＷＬＡＮＡＰの数量が１を超えると、ＷＬＡＮＡＰ１の駆動モジュールは表示モジュールに「複数のＷＰＳ接続を同時に行うことができない」を表示することを通知する。
【００３１】
つまり、安全且つ簡単・手軽な無線接続を構築する方法は、以下の特徴を有する：ユーザにより無線接続端末ＷＬＡＮＡＰ１のＷＰＳモジュールをトリガーし、ＷＰＳモジュールによりその駆動モジュールをトリガーし、駆動モジュールが全ての利用可能な無線チャネルにおいてＷＰＳＰＢＣ機能を支援するＷＬＡＮＡＰをサーチし、ＷＬＡＮＡＰがサーチされた場合、サーチされたＷＬＡＮＡＰの数量情報を表示モジュールに送信し、また、前記数量に基づいて対応する処理を行い、数量が０である時、表示モジュールが「ＷＰＳインタラクション機器なし」を表示し、数量が１を超えると、表示モジュールが「複数のＷＰＳ接続を同時に行うことができない」を表示し、数量が１であって且つ協議に成功した場合、表示モジュールが「ＷＰＳ接続成功」を表示する。ＳＴＡ機能付きのＷＬＡＮＡＰの場合、ユーザの需要に応じて全ての利用可能な無線チャネルにおいてＷＰＳ  ＰＢＣ機能を支援するＡＰ機能付きのＷＬＡＮＡＰをサーチし、サーチを完成した後、サーチされたＷＬＡＮＡＰの数量情報を表示モジュールに送信し、表示モジュールはサーチされたＷＬＡＮＡＰの数量に応じて対応する表示を行い、サーチされたＷＬＡＮＡＰの数量が１であると、ＷＬＡＮＡＰにＷＰＳ協議要求を送信し、協議に成功すると、安全な接続を構築する。ＡＰ機能付きのＷＬＡＮＡＰの場合、ユーザの需要に応じて全ての利用可能な無線チャネルにおいてＷＰＳ  ＰＢＣ機能を支援するＳＴＡ機能付きのＷＬＡＮＡＰ（即ち、ＷＬＡＮＳＴＡ端末機器）をサーチし、サーチを完成した後、サーチされたＷＬＡＮＡＰの数量情報を表示モジュールに送信し、表示モジュールはサーチされたＷＬＡＮＡＰの数量に応じて対応する表示を行い、サーチされたＷＬＡＮＡＰの数量が１であると、ＷＬＡＮＡＰにＷＰＳ協議要求を送信し、協議に成功すると、安全な接続を構築する。
【００３２】
更に、ＷＬＡＮにアクセスしたユーザが多く、且つユーザが遠く離れた時、ＷＬＡＮＡＰ１とＷＬＡＮＡＰ２の接続に成功すると、ＷＬＡＮＡＰ２をＳＴＡモードに配置することで、ＷＬＡＮＡＰ２をＳＴＡとし、ＡＰモードに配置されたＷＬＡＮＡＰ３と接続することによって、ＷＬＡＮ無線アクセス機器の応用範囲を更に拡張することができる。
【００３３】
上述のように、本発明の実施例によると、以下の技術効果を実現できる：
１、本発明の実施例において、無線アクセス機器同士の間でＷＰＳ簡単・手軽なアクセス方式によって相互接続されるので、ネットワーク間の相互接続が簡単であって、ユーザによるネットワーク構築の便宜を図ることができる。
２、本発明の実施例において、無線アクセス機器間の相互接続を実現できると共に、無線アクセス機器の信号カバー範囲を拡張し、無線接続ローカルエリアネットワークの最適化を実現することができる。
【００３４】
上述した内容によって本発明の実施例を詳しく説明したが、本発明はこれらに限定されず、当業者が本発明の原理に基づいて各種を修正を行うことができることは言うまでもない。従って、本発明の原理に従って行われる修正は全て本発明の保護範囲に含まれるものである。
【産業上の利用可能性】
【００３５】
本発明の実施例に提供される技術案は無線ネットワーク分野に応用でき、ユーザが便利で、高速且つ効率的にＷＬＡＮ安全なシステムの構築を完成することができ、また、無線信号のカバー範囲を拡張し、無線接続の品質を保証でき、ネットワーク配置の最適化を実現し、ユーザ体験を向上させる効果を実現できる。
【図１】
0006429206.tif 000002
【図２】
0006429206.tif 000003
【図３】
0006429206.tif 000004
【図４】
0006429206.tif 000005